(57)【要約】【課題】ユーザーの負担を伴うことなく、カラー原稿のモノクロコピーをより適切に行なう。【解決手段】モノクロコピーが指示された場合、プレスキャンとしてカラースキャンを実行し（Ｓ１００）、得られたカラー画像に対して複数の単色化フィルターを各々適用してモノクロ画像を生成すると共に生成した複数のモノクロ画像のコントラストを演算し（Ｓ１２０〜Ｓ１４０）、複数の単色化フィルターのうちコントラストが最も強くなるモノクロ画像の生成に用いられた単色化フィルターを実行フィルターに決定し（Ｓ１５０）、実行フィルターの重み付け係数ｒ，ｇ，ｂの比が輝度比となるよう各ＬＥＤ５２Ｒ，５２Ｇ，５２Ｂの目標電圧Ｖｒ，Ｖｇ，Ｖｂを設定すると共に設定した目標電圧Ｖｒ，Ｖｇ，ＶｂによりＬＥＤ５２Ｒ，５２Ｇ，５２Ｂを同時に点灯させてモノクロスキャンを実行し（Ｓ１６０）、得られたモノクロ画像により印刷を実行する（Ｓ１８０）。【選択図】図３
2011142573.tif 000002
【特許請求の範囲】
【請求項１】
カラー用の光を照射して原稿を読み取ることによりカラー画像を得る第１の読み取り処理と、選択が可能な複数種のモノクロ用の光のうちのいずれかの種類の光を照射して原稿を読み取ることによりモノクロ画像を得る第２の読み取り処理と、を実行可能なスキャナーを制御するスキャナー制御装置であって、
前記第１の読み取り処理によって得られたカラー画像に前記複数種のモノクロ用の光に対応付けられた複数の演算をそれぞれ適用することにより複数のモノクロ画像を生成するモノクロ画像生成部と、
前記生成された複数のモノクロ画像を用いて前記第２の読み取り処理で照射するモノクロ用の光の種類を選択する照射光選択部と、
前記選択された種類の光の照射により前記第２の読み取り処理により得られたモノクロ画像を出力させるモノクロ画像出力部と、
を備えるスキャナー制御装置。
【請求項２】
前記照射光選択部は、前記生成された複数のモノクロ画像のコントラストを演算し、該演算されたコントラストが最も強いモノクロ画像の生成に用いられた演算に基づいて前記モノクロ用の光を選択する部である請求項１記載のスキャナー制御装置。
【請求項３】
請求項１記載のスキャナー制御装置であって、
画像を表示する表示部を備え、
前記照射光選択部は、前記生成された複数のモノクロ画像を前記表示部に表示させて該複数のモノクロ画像の中からユーザーによるモノクロ画像の選択を受け付け、該選択されたモノクロ画像の生成に用いられた演算に基づいて前記モノクロ用の光の種類を選択する部である
スキャナー制御装置。
【請求項４】
前記複数種のモノクロ用の光は、赤色と緑色と青色の３色からなる光であり且つ各種類毎に各色の発光輝度が異なる光である請求項１ないし３いずれか１項に記載のスキャナー制御装置。
【請求項５】
前記複数種のモノクロ用の光は、赤色と緑色と青色の３色からなる光であり且つ各種類毎に各色の照射時間が異なる光である請求項１ないし３いずれか１項に記載のスキャナー制御装置。
【請求項６】
前記演算は、前記カラー画像を表わす複数の色成分のそれぞれにモノクロ用の光に応じた重み付けを行なって加算する計算を含む請求項１ないし５いずれか１項に記載のスキャナー制御装置。
【請求項７】
コンピューターを、請求項１ないし６いずれか１項に記載のスキャナー制御装置として機能させるためのプログラム。
【請求項８】
カラー用の光を照射して原稿を読み取ることによりカラー画像を得る第１の読み取り処理と、選択が可能な複数種のモノクロ用の光のうちのいずれかの光を照射して原稿を読み取ることによりモノクロ画像を得る第２の読み取り処理と、を実行可能なスキャナーを用いてモノクロ画像を製造するモノクロ画像製造方法であって、
（ａ）前記第１の読み取り処理によって得られたカラー画像に前記複数種のモノクロ用の光に対応付けられた複数の演算をそれぞれ適用することにより複数のモノクロ画像を生成し、
（ｂ）前記生成された複数のモノクロ画像を用いて前記第２の読み取り処理で照射するモノクロ用の光の種類を選択し、
（ｃ）前記選択された種類の光により前記第２の読み取り処理により得られたモノクロ画像を出力させる
モノクロ画像製造方法。
【発明の詳細な説明】
【技術分野】
【０００１】
本発明は、カラー用の光を照射して原稿を読み取ることによりカラー画像を得る第１の読み取り処理と、選択が可能な複数種のモノクロ用の光のうちのいずれかの種類の光を照射して原稿を読み取ることによりモノクロ画像を得る第２の読み取り処理と、を実行可能なスキャナーを制御するスキャナー制御装置およびコンピューターをスキャナー制御装置として機能させるためのプログラム並びに上述のスキャナーを用いてモノクロ画像を製造するモノクロ画像製造方法に関する。
【背景技術】
【０００２】
従来より、デジタルカメラにより撮影されたカラー画像の各画素について各色の階調値を重み付けして加算することによりモノクロ画像を生成するものが提案されている（例えば、特許文献１参照）。この装置では、ディスプレー上にグリーンフィルターやイエローフィルター，オレンジフィルター，レッドフィルター，フィルター無しの各項目を表示して使用するフィルターの選択を受け付け、選択されたフィルターに対応する重み付けによりカラー画像をモノクロ画像に変換している。
【先行技術文献】
【特許文献】
【０００３】
【特許文献１】特開２００５−２６０５０４号公報
【発明の概要】
【発明が解決しようとする課題】
【０００４】
ところで、スキャナー装置でカラー原稿からモノクロ画像を生成する場合、カラー原稿を直接にモノクロスキャンしてモノクロ画像を生成することができる他、カラー原稿をカラースキャンしてカラー画像を生成し生成したカラー画像に対して上述した単色化フィルターを適用することによりモノクロ画像を生成することもできる。いま、カラー原稿を印刷する場合を考えると、コスト面などからカラー原稿をモノクロで印刷するユーザーも少なくないため、カラー原稿からできる限り違和感のないモノクロ画像を生成することが望まれる。
【０００５】
本発明のスキャナー制御装置およびプログラム並びにモノクロ画像製造方法は、カラー原稿のモノクロスキャンをより適切に行なうことを主目的とする。
【０００６】
本発明のスキャナー制御装置およびプログラム並びにモノクロ画像製造方法は、上述の主目的を達成するために以下の手段を採った。
【課題を解決するための手段】
【０００７】
本発明のスキャナー制御装置は、
カラー用の光を照射して原稿を読み取ることによりカラー画像を得る第１の読み取り処理と、選択が可能な複数種のモノクロ用の光のうちのいずれかの種類の光を照射して原稿を読み取ることによりモノクロ画像を得る第２の読み取り処理と、を実行可能なスキャナーを制御するスキャナー制御装置であって、
前記第１の読み取り処理によって得られたカラー画像に前記複数種のモノクロ用の光に対応付けられた複数の演算をそれぞれ適用することにより複数のモノクロ画像を生成するモノクロ画像生成部と、
前記生成された複数のモノクロ画像を用いて前記第２の読み取り処理で照射するモノクロ用の光の種類を選択する照射光選択部と、
前記選択された種類の光の照射により前記第２の読み取り処理によって得られたモノクロ画像を出力させるモノクロ画像出力部と、
を備えることを要旨とする。
【０００８】
この本発明のスキャナー制御装置では、第１の読み取り処理をカラー用の光を照射して原稿を読み取ることによりカラー画像が得られるよう構成し、第２の読み取り処理を選択が可能な複数種のモノクロ用の光のうちのいずれかの種類の光を照射して原稿を読み取ることによりモノクロ画像が得られるよう構成し、第１の読み取り処理によって得られたカラー画像に複数種のモノクロ用の光に対応付けられた複数の演算をそれぞれ適用することにより複数のモノクロ画像を生成し、生成した複数のモノクロ画像を用いて第２の読み取り処理で照射するモノクロ用の光の種類を選択し、選択した種類の光の照射により第２の読み取り処理によって得られたモノクロ画像を出力させる。これにより、カラー原稿のモノクロスキャンをより適切に行なうことができる。
【０００９】
こうした本発明のスキャナー制御装置において、前記照射光選択部は、前記生成された複数のモノクロ画像のコントラストを演算し、該演算されたコントラストが最も強いモノクロ画像の生成に用いられた演算に基づいて前記モノクロ用の光を選択する部であるものとすることもできるし、画像を表示する表示部を備え、前記照射光選択部は、前記生成された複数のモノクロ画像を前記表示部に表示させて該複数のモノクロ画像の中からユーザーによるモノクロ画像の選択を受け付け、該選択されたモノクロ画像の生成に用いられた演算に基づいて前記モノクロ用の光の種類を選択する部であるものとすることもできる。前者では、コントラストの高いモノクロ画像を自動生成することができ、後者では、ユーザーの意図により適合したモノクロ画像を生成することができる。
【００１０】
また、本発明のスキャナー制御装置において、前記複数種のモノクロ用の光は、赤色と緑色と青色の３色からなる光であり且つ各種類毎に各色の発光輝度が異なる光であるものとすることもできるし、前記複数種のモノクロ用の光は、赤色と緑色と青色の３色からなる光であり且つ各種類毎に各色の照射時間が異なる光であるものとすることもできる。
【００１１】
本発明のプログラムは、コンピューターを上述したいずれかの本発明のスキャナー制御装置として機能させるためのものである。このプログラムは、コンピュータが読み取り可能な記録媒体（例えばハードディスク、ＲＯＭ、ＦＤ、ＣＤ、ＤＶＤなど）に記録されていてもよいし、伝送媒体（インターネットやＬＡＮなどの通信網）を介してあるコンピュータから別のコンピュータへ配信されてもよいし、その他どのような形で授受されてもよい。このプログラムをコンピュータに実行させれば、上述したスキャナー制御装置と同様の効果を得ることができる。
【００１２】
本発明のモノクロ画像製造方法は、
カラー用の光を照射して原稿を読み取ることによりカラー画像を得る第１の読み取り処理と、選択が可能な複数種のモノクロ用の光のうちのいずれかの光を照射して原稿を読み取ることによりモノクロ画像を得る第２の読み取り処理と、を実行可能なスキャナーを用いてモノクロ画像を製造するモノクロ画像製造方法であって、
（ａ）前記第１の読み取り処理によって得られたカラー画像に前記複数種のモノクロ用の光に対応付けられた複数の演算をそれぞれ適用することにより複数のモノクロ画像を生成し、
（ｂ）前記生成された複数のモノクロ画像を用いて前記第２の読み取り処理で照射するモノクロ用の光の種類を選択し、
（ｃ）前記選択された種類の光により前記第２の読み取り処理により得られたモノクロ画像を出力させる
ことを要旨とする。
【００１３】
この本発明のモノクロ画像製造方法によれば、第１の読み取り処理をカラー用の光を照射して原稿を読み取ることによりカラー画像が得られるよう構成し、第２の読み取り処理を選択が可能な複数種のモノクロ用の光のうちのいずれかの種類の光を照射して原稿を読み取ることによりモノクロ画像が得られるよう構成し、第１の読み取り処理に得られたカラー画像に複数種のモノクロ用の光に対応する複数の演算をそれぞれ適用することにより複数のモノクロ画像を生成し、生成した複数のモノクロ画像を用いて第２の読み取り処理で照射するモノクロ用の光の種類を選択し、選択した種類の光の照射により第２の読み取り処理により得られたモノクロ画像を出力させる。これにより、カラー原稿のモノクロスキャンをより適切に行なうことができる。
【図面の簡単な説明】
【００１４】
【図１】本実施形態のマルチファンクションプリンター２０の概略構成図。
【図２】スキャナーユニット４０の概略構成図。
【図３】モノクロコピー処理ルーチンの一例を示すフローチャート。
【図４】単色化フィルターの一例を示す説明図。
【発明を実施するための形態】
【００１５】
次に、本発明の実施の形態を図面を用いて説明する。図１は、本発明の一実施形態であるマルチファンクションプリンター２０の構成の概略を示す構成図である。本実施形態のマルチファンクションプリンター２０は、着色剤としてインクを記録紙Ｓに吐出することにより印刷を行なうプリンターユニット３０と、原稿台２９に載置された原稿を光学的に読み取って画像データを生成するスキャナーユニット４０と、メモリーカードスロット２８ａに挿入されたメモリーカードＭＣとの間でデータの入出力を司るメモリーカードコントローラー２８と、ユーザーによる各種操作が可能な操作パネル６０と、装置全体の制御を司るメインコントローラー２１とを備える。
【００１６】
プリンターユニット３０は、プリンターＡＳＩＣ３２とプリンターエンジン３４とを備える。プリンターＡＳＩＣ３２は、プリンターエンジン３４を制御する集積回路であり、メインコントローラー２１から印刷指令を受けると、印刷指令の対象となる画像ファイルに基づいて記録紙Ｓに画像を印刷するようプリンターエンジン３４を制御する。プリンターエンジン３４は、印刷ヘッドから用紙へインクを吐出することにより印刷を行なう周知のインクジェット方式のカラープリンター機構として構成されている。なお、ＡＳＩＣは、Ａｐｐｌｉｃａｔｉｏｎ  Ｓｐｅｃｉｆｉｃ  Ｉｎｔｅｇｒａｔｅｄ  Ｃｉｒｃｕｉｔの略である。
【００１７】
スキャナーユニット４０は、コンタクトイメージセンサー（ＣＩＳ）タイプのイメージスキャナーとして構成されており、スキャナーＡＳＩＣ４１と、スキャナーエンジン５０とを備える。スキャナーＡＳＩＣ４１は、スキャナーエンジン５０を制御する集積回路であり、メインコントローラー２１からのスキャン指令を受けると、原稿台２９に載置された原稿を画像データとして読み取るようスキャナーエンジン５０を制御する。図２は、スキャナーユニット４０の構成の概略を示す構成図である。
【００１８】
スキャナーエンジン５０は、図２に示すように、原稿台２９に載置された原稿に光を照射する光源ユニット５１と、原稿からの反射光を受光して電荷として蓄えることにより原稿を読み取るＣＩＳ５４と、光源ユニット５１とＣＩＳ５４とを搭載しキャリッジモータ５９ａと従動ローラ５９ｂとに架け渡されたベルト５８をキャリッジモータ５９ａで駆動することにより往復動するキャリッジ５６とを備える。光源ユニット５１は、赤色光を点灯する赤ＬＥＤ５２Ｒと、緑色光を点灯する緑ＬＥＤ５２Ｇと、青色光を点灯する青ＬＥＤ５２Ｂの３つの光源を有しており、光源からの光を導光体５３を介して原稿台２９に照射する。ＣＩＳ５４は、受光素子（ＣＭＯＳセンサー）５４ａが主走査方向に一列に配置されたものとして構成されている。
【００１９】
スキャナーＡＳＩＣ４１は、各デバイスの制御を司る制御回路４２と、スイッチング素子（トランジスター）のスイッチングにより電源電圧を所望の電圧に変換して対応するＬＥＤ５２Ｒ，５２Ｇ，５２Ｂに出力するＤＣ／ＤＣ変換器４３Ｒ，４３Ｇ，４３Ｂと、制御回路４２からの制御信号を受けてＤＣ／ＤＣ変換器４３Ｒ，４３Ｇ，４３Ｂのスイッチング素子をスイッチング制御するためのＰＷＭ（Pulse Width Modulation:パルス幅変調）信号を生成するＰＷＭ回路４４と、ＣＩＳ５４で生じたアナログ信号を増幅する増幅器４５と、増幅器４５により増幅されたアナログ信号をデジタル信号に変換するＡＤ変換器４６と、制御回路４２からの制御信号を受けてキャリッジモーター５９ａを駆動する駆動回路４７とを備える。
【００２０】
ＤＣ／ＤＣ変換器４３Ｒ，４３Ｇ，４３Ｂは、図示しないが、いずれも、コイルと、ダイオードと、スイッチング素子としてのトランジスターとを備える周知の昇圧チョッパ回路として構成されており、トランジスターのスイッチングデューティ比を変更してＬＥＤ５２Ｒ，５２Ｇ，５２Ｂに作用させる電圧を調整することにより、ＬＥＤ５２Ｒ，５２Ｇ，５２Ｂの輝度調整を個別に行なう。
【００２１】
スキャナーユニット４０は、原稿をカラーで読み取るカラーモードの他、原稿をモノクロで読み取るモノクロモードを備えており、カラーモード時には１ラインで赤ＬＥＤ５２Ｒと緑ＬＥＤ５２Ｇと青ＬＥＤ５２Ｂとを順次切り替えながら１つずつ点灯させてその反射光をＣＩＳ５４で読み取り、モノクロモード時には１ラインで赤ＬＥＤ５２Ｒと緑ＬＥＤ５２Ｇと青ＬＥＤ５２Ｂとを同時に点灯させてその反射光をＣＩＳ５４で読み取る。本実施形態では、カラーモード時には各ＬＥＤ５２Ｒ，５２Ｇ，５２Ｂを最大輝度で点灯させ、モノクロモード時に各ＬＥＤ５２Ｒ，５２Ｇ，５２Ｂの輝度の割合を調整するものとした。
【００２２】
メモリーカードコントローラー２８は、操作パネル４０の横に配置されたメモリーカードスロット２８ａに挿入されたメモリーカードＭＣとの間でデータの入出力を行うものである。このメモリーカードコントローラー２８は、メモリーカードスロット２８ａにメモリーカードＭＣが挿入されているときに、メモリーカードＭＣに保存されているファイルを読み出してメインコントローラー２１に送信したりメインコントローラー２１からの命令を入力し該命令に基づいてメモリーカードＭＣにデータを書き込んだりする。
【００２３】
操作パネル６０は、表示部６２とボタン類６４とを備える。表示部６２は、液晶ディスプレイであり、メニューの選択や設定を行なう各種操作画面などが表示される。また、ボタン類６４は、電源をオンオフするための電源ボタン６４ａや印刷やスキャン，コピーの開始を指示するスタートボタン６４ｂ，各種印刷設定やスキャン設定，コピー設定を行なうための設定ボタン６４ｃ，各種モードを選択するモード選択ボタン６４ｄ，各種項目や設定を選択するための上下左右の矢印キー６４ｅ，選択した設定を有効にするためのＯＫボタン６４ｆ，ひとつ前の画面に戻る戻るボタン６４ｇなどがあり、内部通信インターフェース２５を介してメインコントローラー２１にユーザーの指示を入力できるようになっている。ここで、モード選択ボタン６４ｅにより選択可能なモードとしては、原稿台２９に載置した原稿をスキャンしてコピーするコピーモードやメモリーカードＭＣに記憶された画像を用いて印刷したり原稿をスキャンしてデータ化してメモリーカードＭＣに保存するメモリーカードモード，写真フィルムをスキャンして印刷したりデータをメモリーカードＭＣに保存したりするフィルムモードなどがある。
【００２４】
メインコントローラー２１は、ＣＰＵ２２を中心とするマイクロプロセッサとして構成されており、各種処理プログラムや各種データ、各種テーブルなどを記憶したＲＯＭ２３と、一時的にスキャンデータや印刷データを記憶するＲＡＭ２４と、操作パネル４０との通信を可能とする内部通信インターフェース２５とを備え、これらはバス２６を介して互いに信号のやり取りが可能なように接続されている。メインコントローラー２１は、プリンターユニット３０やスキャナーユニット４０，メモリーカードコントローラー２８からの各種動作信号や各種検出信号を入力したり、操作パネル６０のボタン類６４の操作に応じて発生する操作信号を入力したりする。また、メモリーカードＭＣから画像ファイルを読み出してメインコントローラー２１へ出力する指令をメモリーカードコントローラー２８に出力したり、画像データの印刷を実行するようプリンターユニット３０に指令を出力したり、操作パネル６０のボタン類６４のスキャン指令に基づいて原稿台２９に載置された原稿を画像データとして読み取るようスキャナーユニット４０に指令を出力したり、操作パネル６０に表示部６２の制御指令を出力したりする。
【００２５】
次に、こうして構成された本実施形態のマルチファンクションプリンター２０の動作、特に、カラー原稿をモノクロスキャンする際の動作について説明する。図３は、メインコントローラー２１により実行されるモノクロコピー処理ルーチンの一例を示すフローチャートである。この処理は、例えば、モード選択ボタン６４ｅによりコピーモードが選択され、原稿台２９に原稿が載置された状態でスタートボタン６４ｂが押されたときに実行される。
【００２６】
モノクロコピー処理ルーチンが実行されると、メインコントローラー２１のＣＰＵ２２は、まず、プレスキャンとして、１ラインで赤ＬＥＤ５２Ｒと緑ＬＥＤ５２Ｇと青ＬＥＤ５２Ｂとを順次切り替えながら点灯させて原稿台２９の原稿に光を照射すると共にその反射光をＣＩＳ５４で受光して、対応する位置の画素の各色成分として各ＬＥＤからの反射光の受光量に基づく値を格納するようスキャナーＡＳＩＣ４１にスキャン指令を出力することにより原稿を読み取るカラースキャンを実行する（ステップＳ１００）。続いて、使用可能な複数の単色化フィルターの中から今回の対象フィルターを設定し（ステップＳ１１０）、カラースキャンにより得られたカラー画像に対象フィルターを適用することにより単色化したモノクロ画像を生成する（ステップＳ１２０）。図４に、単色化フィルターの一例を示す。本実施形態では、単色化フィルターとして、図示するように、標準的なモノクロ濃度変換を行なう標準フィルターと、標準フィルターよりも赤色やマゼンダが濃くなり緑色が淡くなる緑フィルターと、標準フィルターよりも青色やシアンが濃くなり赤色が淡くなる赤フィルターと、標準フィルターよりも赤色や黄色が濃くなり青色やシアンが淡くなる青フィルターと、シアンやマゼンタがやや濃くなり黄色や赤色，緑色が淡くなる黄フィルターと、シアンや緑色，青色が濃くなり赤色が淡くなる橙フィルターとが用意されている。モノクロ画像の生成は、カラー画像の赤緑青の各階調値Ｒ，Ｇ，Ｂを単色化フィルターの各色に対応する重み付け係数ｒ，ｇ，ｂで重み付けし、これらを加算することにより行なうことができる。
【００２７】
こうしたモノクロ画像を生成すると、生成したモノクロ画像のコントラストを演算し（ステップＳ１３０）、全単色化フィルターが処理済みか否かを判定し（ステップＳ１４０）、未処理の単色化フィルタがあるときには、ステップＳ１１０に戻って次の単色化フィルターを対象フィルターに設定してモノクロ画像を生成しコントラストを演算するステップＳ１２０，Ｓ１３０の処理を繰り返し、未処理の単色化フィルターがないときには次の処理に進む。ここで、モノクロ画像のコントラストの演算は、各画素の階調値の最大値と最小値との差分や比率を演算することにより求めることができる。
【００２８】
全単色化フィルターに対してモノクロ画像の生成とコントラストの演算とを行なうと、演算結果からコントラストが最も強くなる単色化フィルターを実行フィルターに決定すると共に（ステップＳ１５０）、実行フィルターの重み付け係数ｒ，ｇ，ｂの比が各ＬＥＤ５２Ｒ，５２Ｇ，５２Ｂの輝度比となるよう各ＬＥＤ５２Ｒ，５２Ｇ，５２Ｂに作用させる目標電圧Ｖｒ，Ｖｇ，Ｖｂを設定し（ステップＳ１６０）、設定した目標電圧Ｖｒ，Ｖｇ，Ｖｂにより１ラインで各ＬＥＤ５２Ｒ，５２Ｇ，５２Ｂが同時に点灯するようスキャナーＡＳＩＣ４１にスキャン指令を出力することによりモノクロスキャンを実行し（ステップＳ１７０）、モノクロスキャンにより得られたモノクロ画像に基づいて印刷が実行されるようプリンターＡＳＩＣ３２に印刷指令を出力して（ステップＳ１８０）、本ルーチンを終了する。このように、プレスキャンにより得られたカラー画像に基づいて、単色化したときの画像が良好となるフィルターを決定してからこの単色化フィルターの重み付けに対応する輝度比でＬＥＤ５２Ｒ，５２Ｇ，５２Ｂを点灯させることにより、モノクロスキャンするから、カラー原稿の色の系統に拘わらず違和感の少ないモノクロ印刷を実現することができる。
【００２９】
ここで、本実施形態の構成要素と本発明の構成要素との対応関係を明らかにする。本実施形態の図３のモノクロコピー処理ルーチンのステップＳ１００の処理が本発明の「第１の読み取り処理」に相当し、ステップＳ１７０の処理が「第２の読み取り処理」に相当し、ステップＳ１１０，Ｓ１２０の処理を実行するメインコントローラー２１が「モノクロ画像生成部」に相当し、ステップＳ１５０，Ｓ１６０の処理を実行するメインコントローラー２１が「照射光選択部」に相当し、ステップＳ１８０の処理を実行するメインコントローラー２１とプリンターＡＳＩＣ３２とが「モノクロ画像出力部」に相当する。なお、本実施形態では、マルチファンクションプリンター２０の動作を説明することにより本発明のモノクロ画像製造方法の一例も明らかにしている。
【００３０】
以上説明した本実施形態のマルチファンクションプリンター２０によれば、モノクロコピーが指示された場合に、プレスキャンとしてカラースキャンを実行し、カラースキャンにより得られたカラー画像に対して複数の単色化フィルターをそれぞれ適用することにより単色化したモノクロ画像を生成し、生成した複数のモノクロ画像のコントラストを演算し、複数の単色化フィルターのうちコントラストが最も強くなるモノクロ画像の生成に用いられた単色化フィルターを実行フィルターに決定し、実行フィルターの重み付け係数ｒ，ｇ，ｂの比が輝度比となるよう各ＬＥＤ５２Ｒ，５２Ｇ，５２Ｂの目標電圧Ｖｒ，Ｖｇ，Ｖｂを設定すると共に設定した目標電圧Ｖｒ，Ｖｇ，ＶｂによりＬＥＤ５２Ｒ，５２Ｇ，５２Ｂを同時に点灯させてモノクロスキャンを実行して印刷するから、ユーザーの負担を伴うことなく、カラー原稿のモノクロコピーをより適切に行なうことができる。
【００３１】
上述した実施形態では、標準フィルターの他に、緑フィルターと赤フィルターと青フィルターと黄フィルターと橙フィルターとを用意するものとしたが、これらの一部を省略したり、上記以外の単色化フィルターを追加したりするものとしてもよい。
【００３２】
上述した実施形態では、複数の単色化フィルターのうちコントラストが最も強いモノクロ画像の生成に用いられた単色化フィルターを実行フィルターに設定するものとしたが、これに限られず、例えば、複数の単色化フィルターのうちコントラストが予め定めた適正値に最も近いモノクロ画像の生成に用いられた単色化フィルターを実行フィルターに設定するものとしてもよい。
【００３３】
上述した実施形態では、実行フィルターの重み付け係数ｒ，ｇ，ｂの比が各色の輝度比となるようにＬＥＤ５２Ｒ，５２Ｇ，５２Ｂの輝度を調節するものとしたが、これに限られず、実行フィルターの重み付け係数ｒ，ｇ，ｂの比が各色の照射時間の比率となるように照射時間を調節するものとしてもよい。勿論、輝度比と照射時間の両方を調節するものとしても構わない。すなわち、ＬＥＤ５２Ｒ，５２Ｇ，５２Ｂを厳密な意味で同時に点灯させるものに限られず、ＣＩＳ５４が受光している時間の中でＬＥＤ５２Ｒ，５２Ｇ，５２Ｂを厳密な意味での非同時に点灯させていても構わない。このような点灯でも広義での同時を含むものとする。また、単色化フィルター毎に対応した色の光を発生させるＬＥＤを設けておいて、モノクロスキャン時には実行フィルターに対応した色の光を発生させる１つのＬＥＤのみを用いてスキャンを行なうようにしてもよい。
【００３４】
上述した実施形態では、本発明をカラー原稿をモノクロコピーするマルチファンクションプリンター２０に適用して説明したが、これに限られず、カラースキャンとモノクロスキャンとが可能なスキャナーを備えるものであれば、プリンター機能を備えないスキャナーに適用するものとしてもよい。スキャナーの種類も上述したものに限られず、ＬＥＤ以外の光源を用いてもよいし、ＣＩＳ以外の受光部を用いてもよい。
【００３５】
上述した実施形態では、本発明をスキャナー制御装置の形態として説明したが、スキャナーを用いてモノクロ画像を製造するモノクロ画像製造方法の形態とするものとしてもよいし、コンピューターをスキャナー制御装置として機能させるためのプログラムの形態とするものとしてもよい。
【００３６】
なお、本発明は上述した実施形態に何ら限定されることはなく、本発明の技術的範囲に属する限り種々の態様で実施し得ることはいうまでもない。
【符号の説明】
【００３７】
２０  マルチファンクションプリンター、２１  メインコントローラー、２２  ＣＰＵ、２３  ＲＯＭ、２４  ＲＡＭ、２５  内部通信インターフェース、２６  バス、２８  メモリーカードコントローラー、２８ａ  メモリーカードスロット、２９  原稿台、３０  プリンターユニット、３２  プリンターＡＳＩＣ、３４  プリンターエンジン、４０  スキャナーユニット、４１  スキャナーＡＳＩＣ、４２  制御回路、４３Ｒ，４３Ｇ，４３Ｂ  ＤＣ／ＤＣ変換器、４４  ＰＷＭ回路、４５  増幅器、４６  Ａ／Ｄ変換器、４７  駆動回路、５０  スキャナーエンジン、５１  光源ユニット、５２Ｒ，５２Ｇ，５２Ｂ  ＬＥＤ、５３  導光体、５４  ＣＩＳ、５４ａ  受光素子、５８  ベルト、５９ａ  キャリッジモーター、５９  従動ローラー、６０  操作パネル、６２  表示部、６４  ボタン類、６４ａ  電源ボタン、６４ｂ  スタートボタン、６４ｃ  設定ボタン、６４ｄ  モード選択ボタン、６４ｅ  矢印キー、６４ｆ  ＯＫボタン、６４ｇ  戻るボタン、Ｓ  記録紙、ＭＣ  メモリーカード。
【図１】
2011142573.tif 000003
【図２】
2011142573.tif 000004
【図３】
2011142573.tif 000005
【図４】
2011142573.tif 000006